(57)【要約】【課題】  フェンスのルーバーブレードを合成樹脂製のものとしたことによって生じる撓みを解消する。【解決手段】  透明合成樹脂のブレード本体３１を，傾斜基部３２とその上下の起立条３４とを備えて押出成型によって断面Ｓ字状に形成するとともにその上位の起立条３４の裏面と下位の起立条３４の前面にそれぞれ断面Ｔ字状の嵌合突条３５をそれぞれ同時成型し，これら嵌合突条３５に，これと対をなす嵌合凹条４１をスライド嵌合することによってブレード本体３１の上下にアルミを押出成型した撓み防止バー４を配置してルーバーブレード３とする。高いヤング率を確保して撓みを解消できる。撓み防止バー４に同時成型したタッピングホール４２を用いて支柱１にネジ止めしてフェンスＡとする。【選択図】  図２
2007162259.tif 000002
【特許請求の範囲】
【請求項１】
押出成形によって合成樹脂を一体成形したブレード本体と，同じく押出成形によってアルミを一体成形した撓み防止バーとを備えるとともに上記押出成形によってこれらブレード本体の幅方向両端と撓み防止バーにそれぞれ同時成形した嵌合突条と嵌合凹条とを対とする嵌合部位相互の嵌合によって上記ブレード本体の幅方向両端の長手方向全長に亘って上記撓み防止バーを配置してなることを特徴とする合成樹脂製ルーバーブレード。
【請求項２】
上記撓み防止バーが，その押出成形によって同時成形したブレードネジ固定用のタッピングホールを具備してなることを特徴とする請求項１に記載の合成樹脂製ルーバーブレード。
【請求項３】
上記ブレード本体の各嵌合部位を，該ブレード本体の幅方向両端のそれぞれ先端位置に設置することによって上記撓み防止バーを該ブレード本体の嵌合部位設置位置に配置してなることを特徴とする請求項１又は２に記載の合成樹脂製ルーバーブレード。
【請求項４】
上記ブレード本体の各嵌合部位を，上記先端位置の前後面のいずれか一方に設置し又は前後面の双方に幅方向両端で分けて設置することによって上記撓み防止バーを該ブレード本体の嵌合部位設置位置に配置してなることを特徴とする請求項３に記載の合成樹脂製ルーバーブレード。
【請求項５】
上記ブレード本体を，傾斜基部と，該傾斜基部の幅方向両端に起立した起立条とを備えて断面Ｓ字状とし且つ各嵌合部位を幅方向両端の一方において起立条の起立面前面に，幅方向両端の他方において起立条の起立面後面に配置することによって上記撓み防止バーを該起立面前面及び後面に配置してなることを特徴とする請求項１又は２に記載の合成樹脂製ルーバーブレード。
【請求項６】
上記請求項１乃至５に記載のいずれかの合成樹脂製ルーバーブレードを用いて，該ブレードを対向する支持枠に支持することによって形成してなることを特徴とするルーバー製品。
【発明の詳細な説明】
【技術分野】
【０００１】
本発明は，フェンス，面格子，建具等のルーバー製品に好適に使用し得る合成樹脂製ルーバーブレード及びこれを用いたルーバー製品に関する。
【背景技術】
【０００２】
本発明は，フェンス，面格子，建具等のルーバー製品に好適に使用し得る合成樹脂製ルーバーブレード及びこれを用いたルーバー製品に関する。
【０００３】
【特許文献１】実公平７−５４５４０号公報
【発明の開示】
【発明が解決しようとする課題】
【０００４】
しかし乍ら，アルミに比して合成樹脂のヤング率は小さいために，合成樹脂製のルーバーブレードは，その長さを長くすると撓みが生じるのを避け難い。例えばポリカーボネート，ＡＳＡ等の合成樹脂を用いて，肉厚を２ｍｍ，長さを１ｍとした比較的長尺の断面Ｓ字状のルーバーブレードを用いたルーバー製品と，アルミを用いて，肉厚を０．８ｍｍとした同長にして同断面のルーバーブレードを用いたルーバー製品について，風速３３．１ｍ／ｓｅｃ，風圧力８２ｋｇｆ／ｍ２の風圧を掛けたテストにおいて，アルミの最大撓みは０．２８ｍｍ，ポリカーボネートは８．８４ｍｍ，ＡＳＡは９．７３ｍｍであり，アルミに比して合成樹脂製のルーバーブレードの撓み量が極端に大きいという結果であり，更に長さを１．２ｍ，１．５ｍといったように長くすると，更に撓み量が１０ｃｍを超えるという結果になる。
【０００５】
このように撓み量が大きいことは，手でルーバーブレードを押圧乃至引寄せれば目隠し機能が損われることになるし，強風を受けると撓んだルーバーブレード同士が当って騒音を発生するといった問題を生じることになり，従ってルーバーブレードを合成樹脂製とすることや，その長さを数十ｃｍ程度とする場合には特段の問題はないとしても，例えば１ｍ程度を超えるといった比較的長尺のルーバーブレードを用いて該１ｍ程度乃至それ以上の幅や高さを有するルーバー製品を生産するには，該撓みの発生を防止する必要がある。本発明はかかる事情に鑑みてなされたもので，その解決課題とするところは，可及的簡易にして確実に高いヤング率を確保することによって撓みを解消し得るようにした強度に優れた合成樹脂製ルーバーブレードを提供するにあり，また該ルーバーブレードを用いることによって撓みを解消し，撓みに起因する問題点を解消し得るようにしたルーバー製品を提供するにある。
【課題を解決するための手段】
【０００６】
上記課題に沿って本発明は，ヤング率の小さい合成樹脂製ブレード本体の幅方向両端の長手方向全長に亘ってヤング率の大きいアルミ製の撓み防止バーを配置してブレードを形成するようにして，撓み防止バーがブレード本体の幅方向両端を保持し該ブレード本体を補強することによって，ルーバーブレードとして高いヤング率を確実に確保して優れた強度を発揮して撓みを解消する一方，該ルーバーブレード及び撓み防止バーをそれぞれ押出成形によって長手方向同一断面形状に一体成形してこれらの精度を可及的高度に確保するとともにブレード本体及び撓み防止バーに相互に対をなす嵌合突条と嵌合凹条の一方による嵌合部位を同時に一体成形し，上記ブレード本体幅方向両端の撓み防止バーの配置を，これら嵌合部位を相互の嵌合することによって可及的簡易にして確実になし得るようにしたものであって，即ち請求項１に記載の発明を，押出成形によって合成樹脂を一体成形したブレード本体と，同じく押出成形によってアルミを一体成形した撓み防止バーとを備えるとともに上記押出成形によってこれらブレード本体の幅方向両端と撓み防止バーにそれぞれ同時成形した嵌合突条と嵌合凹条とを対とする嵌合部位相互の嵌合によって上記ブレード本体の幅方向両端の長手方向全長に亘って上記撓み防止バーを配置してなることを特徴とする合成樹脂製ルーバーブレードとしたものである。
【０００７】
請求項２に記載の発明は，上記に加えて，上記ブレード本体の幅方向両端に配置した撓み防止バーを有するルーバーブレードによるルーバーの組立形成を，該撓み防止バーに支持枠側からのネジを螺入することによって可及的簡易且つ確実にして強固なネジ固定によってなし得るとともに撓み防止バーを押出成形によって一体成形する利点を活かして該ネジ固定のためのネジ受を形成した形態のものとするように，こを，上記撓み防止バーが，その押出成形によって同時成形したブレードネジ固定用のタッピングホールを具備してなることを特徴とする請求項１に記載の合成樹脂製ルーバーブレードとしたものである。
【０００８】
請求項３に記載の発明は，同じく上記に加えて，上記撓み防止バーを用いることによる撓み防止効果を可及的高度に確保してルーバーブレードとしてのヤング率を可及的有効に確保し得る形態のものとするように，これを，上記ブレード本体の各嵌合部位を，該ブレード本体の幅方向両端のそれぞれ先端位置に設置することによって上記撓み防止バーを該ブレード本体の嵌合部位設置位置に配置してなることを特徴とする請求項１又は２に記載の合成樹脂製ルーバーブレードとしたものである。
【０００９】
請求項４に記載の発明は，同じく上記に加えて，上記ブレード本体の先端位置に撓み防止バーを配置するについて，風圧等の水平荷重をブレード本体の幅方向両端で受止めすることによって可及的に高い撓み防止効果とこれによる有効なヤング率を確保して更に好ましい形態のものとし得るように，これを，上記ブレード本体の各嵌合部位を，上記先端位置の前後面のいずれか一方に設置し又は前後面の双方に幅方向両端で分けて設置することによって上記撓み防止バーを該ブレード本体の嵌合部位設置位置に配置してなることを特徴とする請求項３に記載の合成樹脂製ルーバーブレードとしたものである。
【００１０】
請求項５に記載の発明は，同じく上記に加えて，ブレード本体を断面Ｓ字状とすることにより該ブレード本体の強度，即ちヤング率を向上する一方，同様に風圧等の水平荷重をブレード本体の幅方向両端で受止めすることによって高い撓み防止効果とこれによる有効なヤング率の確保し，また上記断面Ｓ字状のブレード本体によってルーバー製品を組立形成したときに，例えば撓み防止バーが幅方向両端一方の起立条の後面に位置してルーバー製品の外観に露出するのを防止するとともに幅方向両端他方の起立条が隣接する起立条と重なることによって，起立条前面の撓み防止バーが該隣接する起立条によってカバーされて同じくルーバー製品の外観に露出するのを防止して外観を良好とした配置をなし得る形態のものとするように，これを，上記ブレード本体を，傾斜基部と，該傾斜基部の幅方向両端に起立した起立条とを備えて断面Ｓ字状とし且つ各嵌合部位を幅方向両端の一方において起立条の起立面前面に，幅方向両端の他方において起立条の起立面後面に配置することによって上記撓み防止バーを該起立面前面及び後面に配置してなることを特徴とする請求項１又は２に記載の合成樹脂製ルーバーブレードとしたものである。
【００１１】
請求項６に記載の発明は，これらヤング率を高く確保したルーバーブレードを用いることによって優れた強度を確保して撓みを解消し，ルーバーブレードの押圧乃至引寄せによって目隠し機能が損われたり，強風等の水平荷重によってルーバーブレード同士が当って騒音を発生するといった撓みに起因する問題点を解消し得るようにした高品質のルーバー製品を提供するように，これを，上記請求項１乃至５に記載のいずれかの合成樹脂製ルーバーブレードを用いて，該ブレードを対向する支持枠に支持することによって形成してなることを特徴とするルーバー製品としたものである。
【００１２】
本発明はこれらをそれぞれ発明の要旨として上記課題解決の手段としたものである。
【発明の効果】
【００１３】
本発明は以上のとおりに構成したから，請求項１に記載の発明は，ヤング率の小さい合成樹脂製ブレード本体の幅方向両端の長手方向全長に亘ってヤング率の大きいアルミ製の撓み防止バーを配置してルーバーブレードを形成するようにして，撓み防止バーがブレード本体の幅方向両端を保持し該ブレード本体を補強することによって，ルーバーブレードとして高いヤング率を確実に確保して優れた強度を発揮して撓みを解消する一方，ブレード本体及び撓み防止バーをそれぞれ押出成形によって長手方向同一断面形状に一体成形してこれらの精度を可及的高度に確保するとともにブレード本体及び撓み防止バーに相互に対をなす嵌合突条と嵌合凹条の一方による嵌合部位を同時に一体成形し，上記ブレード本体幅方向両端の撓み防止バーの配置を，これら嵌合部位を相互の嵌合することによって可及的簡易にして確実になし得るようにした合成樹脂製ルーバーブレードを提供することができる。
【００１４】
請求項２に記載の発明は，上記に加えて，上記ブレード本体の幅方向両端に配置した撓み防止バーを有するルーバーブレードによるルーバー製品の組立形成を，該撓み防止バーに支持枠側からのネジを螺入することによって可及的簡易且つ確実にして強固なネジ固定によってなし得るとともに撓み防止バーを押出成形によって一体成形する利点を活かして該ネジ固定のためのネジ受を形成した形態のものとすることができる。
【００１５】
請求項３に記載の発明は，同じく上記に加えて，上記撓み防止バーを用いることによる撓み防止効果を可及的高度に確保してルーバーブレードとしてのヤング率を可及的有効に確保し得る形態のものとすることができる。
【００１６】
請求項４に記載の発明は，同じく上記に加えて，上記ブレード本体の先端位置に撓み防止バーを配置するについて，風圧等の水平荷重をブレード本体の幅方向両端で受止めすることによって可及的に高い撓み防止効果とこれによる有効なヤング率を確保して更に好ましい形態のものとすることができる。
【００１７】
請求項５に記載の発明は，同じく上記に加えて，ブレード本体を断面Ｓ字状とすることにより該ブレード本体の強度，即ちヤング率を向上する一方，同様に風圧等の水平荷重をブレード本体の幅方向両端で受止めすることによって高い撓み防止効果とこれによる有効なヤング率の確保し，また上記断面Ｓ字状のブレード本体によってルーバー製品を組立形成したときに，例えば撓み防止バーが幅方向両端一方の起立条の後面に位置してルーバー製品の外観に露出するのを防止するとともに幅方向両端他方の起立条が隣接する起立条と重なることによって，起立条前面の撓み防止バーが該隣接する起立条によってカバーされて同じくルーバー製品の外観に露出するのを防止しその外観を良好とした配置をなし得る形態のものとすることができる。
【００１８】
請求項６に記載の発明は，これらヤング率を高く確保したルーバーブレードを用いることによって優れた強度を発揮して撓みを解消し，ルーバーブレードの押圧乃至引寄せによって目隠し機能が損われたり，強風等の水平荷重によってルーバーブレード同士が当って騒音を発生するといった撓みに起因する問題点を解消し得るようにした高品質のルーバー製品を提供することができる。
【発明を実施するための最良の形態】
【００１９】
以下図面の例に従って本発明を更に具体的に説明すれば，図１乃至図６においてＡは，合成樹脂製ルーバーブレード３を用いた，本例にあって通風機能と採光機能を有するフェンスとしたルーバー製品であり，該フェンスＡは，上記ブレード３を対向する支持枠に支持することによって形成したものとしてあり，本例にあって該支持枠はこれをフェンスＡの端部及び中間の支柱１とし，該支柱１にネジ５固定して多数のルーバーブレード３をその幅方向両端，即ち上下端が部分的に重なるよう水平配置して，ルーバーブレード３間に貫通する空隙が生じないように目隠し機能を有するものとしてある。
【００２０】
このときルーバーブレード３は，押出成形によって合成樹脂を一体成形したブレード本体３１と，同じく押出成形によってアルミを一体成形した撓み防止バー４とを備えるとともに上記押出成形によってこれらブレード本体３１の幅方向両端と撓み防止バー４にそれぞれ同時成形した嵌合突条と嵌合凹条とを対とする嵌合部位３５，４１相互の嵌合によって上記ブレード本体３１の幅方向両端の長手方向全長に亘って上記撓み防止バー４を配置したものとしてある。
【００２１】
本例にあってブレード本体３１は，例えばポリカーボネート，ＡＳＡ，アクリル等の透明乃至半透明樹脂を押出成形してこれを一体成形したものとしてあり，このとき透明樹脂を用いたとき，該押出成形に際して前後双方又は一方の表面に光の乱反射を行う乱反射措置を施して目隠し機能を付与したものとしてあり，該乱反射措置は，例えば図５に示すように，並列多数の微細リブ３３を同時成形し，また押出成形後にショットブラスト，研磨等適宜の半透明化のための後加工を施すことによってブレード本体３１をその全面乃至部分的に粗面化することによって行ってある。
【００２２】
このときブレード本体３１は，例えばこれを，傾斜基部３２と，該傾斜基部３２の幅方向両端に起立した起立条３４とを備えて断面Ｓ字状としてある。即ち本例のブレード本体３１は，その傾斜基部３２を，例えば６０度程度に傾斜し，該傾斜基部３２の幅方向両端，即ち上下端に垂直の起立条３４を起立して断面Ｓ字状をなすものとし，該断面形状によってヤング率を向上したものとしてあり，本例にあって該ブレード本体３１は，例えばその肉厚を１．５乃至２ｍｍ程度とし，起立条３４を垂直とするように配置した状態で，例えば１０ｃｍ程度，本例にあっては１１〜１２ｃｍの高さの幅広にして，５ｃｍ程度，本例にあっては４ｃｍ程度の奥行を有したものとしてある。
【００２３】
該ブレード本体３１の上記同時成形した嵌合部位３５は，これを，該ブレード本体３１の幅方向両端のそれぞれ先端位置，特に該先端位置の前後面のいずれか一方に設置し又は前後面の双方に幅方向両端で分けて設置したものとしてある。このとき断面Ｓ字状として幅方向両端に起立条３４を具備した本例のブレード本体３１にあって該嵌合部位３５は，これを幅方向両端の一方において起立条３４の起立面前面に，幅方向両端の他方において起立条３４の起立面後面に配置したものとすることによって，上記前後面の双方に幅方向両端で分けて嵌合部位を設置したものとしてある。
【００２４】
本例にあって該ブレード本体３１の嵌合部位３５は，これを上記対を成す嵌合突条と嵌合凹条のうち，嵌合突条によるものとしてあり，本例にあって該嵌合突条は，例えば断面Ｔ字状をなすものとして，幅方向両端の，本例にあって上端において起立条３４の起立面後面に倒Ｔ字状に突設し，下端において同じく起立条３４の起立面前面に同じく倒Ｔ字状に突設したものとしてあり，このとき本例の断面Ｔ字状とした嵌合突条による嵌合部位３５は，これを上記ブレード本体３１の肉厚より厚肉にして後述の撓み防止バー４の，本例にあって嵌合凹条の嵌合部位４１との確実且つ強固な嵌合をなし得るものとしてあり，該ブレード本体３１の嵌合部位３５の肉厚は，これを数ｍｍ程度としてあり，例えば起立面からの突設部を３ｍｍ程度，これに交差する交差部を２ｍｍ程度としてある。
【００２５】
本例にあって撓み防止バー４は，例えば一般のアルミ製品に用いられるＪＩＳＡ６０６３アルミニウム合金を押出成形してこれを一体成形して，上記ブレード本体３１における嵌合部位３５の嵌合突条と対をなす嵌合凹条による嵌合部位４１を同時成形して具備するとともに本例にあって該撓み防止バー４は，これが，その押出成形によって同時成形したブレードネジ固定用のタッピングホール４２を具備したものとしてある。
【００２６】
このとき撓み防止バー４は，これを，一辺を１〜２ｃｍ程度幅の矩形，方形，楕円形等適宜断面形状をなす細いバー材によって形成してあり，本例にあって該撓み防止バー４は，ブレード本体３１との対接面に嵌合部位４１として，上記Ｔ字状の嵌合突条を反転し対接面側を開口した溝をなすＴ字状の嵌合凹条を配置するとともに該嵌合凹条と並列して断面内の中間位置にタッピングホール４２を配置し，その余を中実としたものとしてあり，本例の該撓み防止バー４は，例えば１ｃｍ程度の幅と高さにして上記対接面と対向する端面の両端を角落しして湾曲した断面角落し矩形のものとしてある。撓み防止バー４は，このように細いバー材によって形成しても，ブレード本体３１の幅方向両端に嵌合することによって該ブレード本体３１のヤング率を充分に向上確保することができるから，これより拡大した断面とすることを妨げないが，一般には上記１〜２ｃｍ程度のものとすれば足りる。
【００２７】
撓み防止バー４は，その嵌合部位４１を，上記ブレード本体３１の嵌合部位３５と相互に嵌合して該ブレード本体３１の幅方向両端の長手方向全長に亘って配置してあり，このとき嵌合部位３５を幅方向両端の先端位置，特に断面Ｓ字状の起立条３４の前後面に配置した本例のブレード本体３１にあっては，これを該ブレード本体３１の先端位置にしてその該起立面前面及び後面に配置したものとしてあり，従ってブレード本体３１の上端にあってはその起立条３４の起立面後面に，下端にあっては起立条３４の起立面前面に該撓み防止バー４を配置してある。
【００２８】
ブレード本体３１の幅方向両端，特に起立条３４に撓み防止バー４を配置するには，ブレード本体３１の嵌合部位３５，特に嵌合突条と撓み防止バー４の嵌合部位４１，特に嵌合凹条を，これらの長手方向端部で対面させてスライド嵌合することによってその相互の嵌合を行うようにすればよく，このとき，例えば嵌合突条を幾分研削してこれを先細りとし，嵌合凹条の内側を研削してこれを拡大することによって該スライド嵌合を容易化することが可能となる。
【００２９】
このように形成したルーバーブレード３を用いた本例のフェンスＡは，上記端部及び中間の支柱１に該ルーバーブレード３を，隣接するルーバーブレード３の幅方向両端の片側，即ちルーバーブレード３を水平配置した本例のフェンスＡにあっては，上位のルーバーブレード３の下端と下位のルーバーブレード３の上端とが前後に重なるように順次配置し，それぞれ各ルーバーブレード３の上記撓み防止バー４に形成したタッピングホール４２に対して支柱１から該支柱１に形成した透孔を介して上記ネジ５を螺入して，該支柱１に長手方向両端にしてその幅方向両端でネジ止めすることによってその固定を行って，フェンスＡとしてその組立形成を行えばよく，これによってヤング率を高く確保することによって撓みを解消するとともに撓み防止バー４が，ルーバーブレード３の上端にあっては後面に，下端にあっては前面に存在するも，これらが重なり配置した起立条３４の前後に対向配置されることによって，該撓み防止バー４がフェンスＡの外観に露出することを防止し，撓み防止バー４を配置し乍ら外観を良好とし且つ通風機能と採光機能を維持しつつ併せて目隠し機能を確保したフェンスとすることができる。図中２は上記端部及び中間の支柱１間に架設固定した横枠を示す。
【００３０】
図７乃至図１０は，他の形態に係るルーバーブレード３とその配置形態の例をモデル的に示したものであって，図７はブレード本体３１をフラットな板状に形成し，該ブレード本体３１の幅方向両端，本例にあっては上下端に撓み防止バー４を配置してルーバーブレード３を形成し，該ルーバーブレード３を端部及び中間の支柱１に千鳥状をなすように配置したフェンスの例，図８は該ルーバーブレード３をその上下端が部分的に重なるように傾斜配置したフェンスの例，図９は同じくフラットな板状のブレード本体３１を複数枚用い，中間に配置して双方のブレード本体３１に合せた嵌合部位を備えることによって上記撓み防止バー４に準じて押出成形により一体成形した中間連結バー３６を介して倒Ｖ字状に連結して，その幅方向両端に同じく撓み防止バー４を配置してルーバーブレード３を形成し，該ルーバーブレード３の上下端が相互に部分的に重なるように端部及び中間の支柱１間に配置した例，図１０はブレード本体３１を垂直基部３７と該垂直基部３７から水平に突出した幅方向両端の折曲条３８を備えて断面コ字状とし，該折曲条３８に同じく撓み防止バー４を配置してルーバーブレード３を形成し，同様に該ルーバーブレード３の上下端が相互に部分的に重なるように端部と中間の支柱１間に配置した例である。その余は上記例と同じであるので重複する説明を省略するが，いずれも上記例と同様に通風機能性，採光機能及び目隠し機能を備えるとともにそれぞれ高いヤング率を呈して強度に優れたフェンスとすることができる。
【００３１】
このようにブレード本体３１の断面形状及びブレード本体３１に対する撓み防止バー４の配置形態は様々に変更することが可能であるが，一方で断面形状及び撓み防止バー４の配置形態によってヤング率に差異が生じるに至る可能性も残る。特に上記断面Ｓ字状とし，また断面コ字状としたブレード本体３１としたものは，該断面形状とあいまって，フラットな平板状のものに比して更にヤング率の高いルーバーブレード３とすることができ，従って支持枠の配置ピッチをより拡大することができる。また撓み防止バー４は，上端にキャップ状に配置した図  や図  の形態のものより，上記図１乃至図６のようにブレード本体３１の前後面にこれに交差状に配置したものが更に高いヤング率を呈するものとなり，図１０のように折曲条３８に配置したものもブレード本体３１に交差状となることによって同様である。このため，これらのうちでは図１乃至図６の例及び図１０の例のものが好ましいが，通風機能の確保及び意匠性の確保の面から見て，前者の図１乃至図６の例に係るものが更に好ましい。
【００３２】
図示した例は以上のとおりとしたが，ブレード本体の嵌合部位を嵌合凹条，撓み防止バーの嵌合部位を嵌合突条とすること，ブレード本体の幅方向中間に垂直乃至傾斜の基部を設けるとともに該基部をホロー形態のものとすること，この場合雨水の浸入による汚れ，微小昆虫の侵入による汚れ等の発生を防止するために，好ましくは支持枠とブレード本体間の気密性乃至水密性を確保するようにすること，ルーバーブレードを上下に対向する支持枠に支持することによって該ルーバーブレードを垂直に配置すること，上記起立条や折曲条を基部に設置するとき，その基部に対する突出角度を適宜に設定すること等を含めて，本発明の実施に当って，ブレード本体，撓み防止バー，嵌合突条と嵌合凹条とを対とする嵌合部位，ルーバーブレード，該ルーバーブレードを用いたルーバー製品等の各具体的形状，構造，材質，これらの関係，これらに対する付加等は，上記発明の要旨に反しない限り様々な形態のものとすることができる。
【図面の簡単な説明】
【００３３】
【図１】フェンスの正面図である。
【図２】図１のＡ−Ａ線縦断面図である。
【図３】図１のＢ−Ｂ線横断面図である。
【図４】ブレード本体の縦断面図である。
【図５】図４の傾斜基部部分の拡大縦断面図である。
【図６】撓み防止バーの縦断面図である。
【図７】他の例に係るルーバーブレードとその配置のモデルを示す縦断面図である。
【図８】他の例に係るルーバーブレードとその配置のモデルを示す縦断面図である。
【図９】他の例に係るルーバーブレードとその配置のモデルを示す縦断面図である。
【図１０】他の例に係るルーバーブレードとその配置のモデルを示す縦断面図である。
【符号の説明】
【００３４】
Ａ  フェンス
１  支柱
２  横枠
３  ルーバーブレード
３１  ブレード本
３２  傾斜基部
３３  微細リブ
３４  起立条
３５  嵌合部位
３６  中間連結バー
３７  垂直基部
３８  折曲条
４  撓み防止バー
４１  嵌合部位
４２  タッピングホール
５  ネジ
【図１】
2007162259.tif 000003
【図２】
2007162259.tif 000004
【図３】
2007162259.tif 000005
【図４】
2007162259.tif 000006
【図５】
2007162259.tif 000007
【図６】
2007162259.tif 000008
【図７】
2007162259.tif 000009
【図８】
2007162259.tif 000010
【図９】
2007162259.tif 000011
【図１０】
2007162259.tif 000012
【手続補正書】
【提出日】平成19年2月1日(2007.2.1)
【手続補正１】
【補正対象書類名】明細書
【補正対象項目名】０００２
【補正方法】変更
【補正の内容】
【０００２】
この種ルーバー製品に使用されるルーバーブレード（ルーバー羽根，ルーバー羽板，ブレード，羽板等といってもよい）は，例えば傾斜基部とその幅方向両端に起立した起立片とによって断面Ｓ字状としたものが知られているが，これに代えて，例えば透明乃至半透明のアクリル，ポリカーボネート等の合成樹脂を加圧成形して，透明のときは，その表面に微細凹凸を形成する等して，通風機能と採光機能を確保するとともに目隠し機能を確保するようにした合成樹脂製ブレードが提案され，また該ブレードを用いたルーバー製品は，例えば該ルーバーブレードの断面形状に合せた嵌合溝を形成した対向する支持縦枠を用い，該嵌合溝にルーバーブレードの長手方向両端を嵌合することによって該支持縦枠に対して支持し，支持縦枠間に横枠を架設固定して該支持枠と横枠を枠組みし，また必要に応じてその枠組みした支持縦枠と横枠を更に外枠に嵌着固定する等してルーバー製品を形成するものとされている。